【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
入力される多値（Ｍ値）階調の画像データをより少ない少値（Ｎ値：Ｍ＞Ｎ＞２）の画像データに変換して出力する中間調処理で用いるディザマトリクスにおいて、
出力階調値が予め定めた閾値（Ｔ値：Ｎ＞Ｔ＞１））未満のときには集中型であり、前記閾値（Ｔ値）以上であるときには分散型であることを特徴とするディザマトリクス。
【請求項２】
請求項１に記載のディザマトリクスにおいて、
ディザマトリクス内により小さな複数のサブマトリクスを一定のスクリーン角を持たせて隙間及び重複無く配置することにより出力画素の配置パターンが網点パターン又はスクリーン線を形成するようにするとともに、
前記サブマトリクス内のドット配置順序が、前記出力階調値が予め定めた閾値Ｔ未満の場合は集中型であり、閾値Ｔ以上の場合は分散型であることを特徴とするディザマトリクス。
【請求項３】
請求項２に記載のディザマトリクスにおいて、
前記サブマトリクスのドット配置が集中型から分散型に切り替わる直前に、前記集中型の最大階調値（Ｔ−１）でサブマトリクス全体が埋め尽くされるパターンであることを特徴とするディザマトリクス。
【請求項４】
請求項３に記載のディザマトリクスおいて、
任意の出力階調値について、サブマトリクス全体がその階調値で埋め尽くされるパターンが存在することを特徴とするディザマトリクス。
【請求項５】
請求項２ないし４のいずれか一項に記載のディザマトリクスにおいて、
前記複数のサブマトリクスは分散的に選択される配置であることを特徴とするディザマトリクス。
【請求項６】
請求項２ないし４のいずれか一項に記載のディザマトリクスにおいて、
前記複数のサブマトリクスは隣接するサブマトリクスが連続して選択されない配置であることを特徴とするディザマトリクス。
【請求項７】
請求項２ないし４のいずれか一項に記載のディザマトリクスにおいて、
前記複数のサブマトリクスは配置されたドットがハイパスフィルタ特性を持つように選択される配置であることを特徴とするディザマトリクス。
【請求項８】
入力画像データに対して中間調処理を含む画像処理を施して出力画像データを生成する画像処理方法において、
前記請求項１ないし７のいずれか一項に記載のディザマトリクスで構成されるディザマスクを使用して前記中間調処理を施すことを特徴とする画像処理方法。
【請求項９】
請求項８に記載の画像処理方法において、
入力画像が複数のカラープレーンで構成されるカラー画像であるときには、任意のカラープレーンについて、前記ディザマスクを回転、線対称に反転及び平行移動の少なくとも１つ又は２以上の組合せで変換したディザマスクを使用することを特徴とする画像処理方法。
【請求項１０】
請求項９に記載の画像処理方法において、
前記入力画像が複数のカラープレーンで構成されるカラー画像であるときには、前記任意のカラープレーンについて、前記ディザマスクのドット配置順序を出力階調単位で反転したディザマスクを使用することを特徴とする画像処理方法。
【請求項１１】
入力画像データに対して中間調処理を含む画像処理を施して出力画像データを生成する画像処理方法において、
前記請求項２ないし７のいずれか一項に記載のディザマトリクスで構成されるディザマスクを使用し、かつ、入力画像が複数のカラープレーンで構成されるカラー画像であるときには、
前記サブマトリクスは大小２つの長方形を各辺と各角が接するよう隣接させた形であり、ＣＭＹＫのカラー入力画像に対して、カラープレーン毎に上下方向に１ライン以上平行移動してずらしたディザマスクを使用することを特徴とする画像処理方法。
【請求項１２】
請求項８乃至１１のいずれか一項に記載の画像処理方法において、
記録液の液滴を吐出する記録ヘッドを搭載して用紙に画像を形成する画像形成装置に対して送出する画像データであって、前記液滴が着弾したときのドットの広がりが小さく、前記液滴が凝集するような性質を有する用紙に形成する画像の画像データを生成することを特徴とする画像処理方法。
【請求項１３】
請求項１２に記載の画像処理方法において、
前記用紙が、支持体と該支持体の少なくとも一方の面に塗工層を有してなり、２３℃５０％ＲＨにて動的走査吸液計で測定した接触時間１００ｍｓにおける前記記録液の前記用紙への転移量が２〜４０ｍｌ／ｍ２であり、かつ接触時間４００ｍｓにおける前記記録液の前記用紙への転移量が３〜５０ｍｌ／ｍ２であることを特徴とする画像処理方法。
【請求項１４】
請求項１３に記載の画像処理方法において、
前記用紙が、少なくとも基材と塗工層から構成されており、該塗工層の固形分付着量が０．５〜２０．０ｇ／ｍ２であることを特徴とする画像処理方法。
【請求項１５】
請求項８乃至１４のいずれか一項に記載の画像処理方法を用いて記録された記録物。
【請求項１６】
画像形成装置に対して送出する画像データを生成する処理をコンピュータに行わせるプログラムにおいて、
コンピュータに前記請求項８乃至１４のいずれか一項に記載の画像処理方法を実行させることを特徴とするプログラム。
【請求項１７】
画像形成装置に対して送出する画像データを生成する処理を行う画像処理装置において、
前記請求項８乃至１４のいずれか一項に記載の画像処理方法を実行する手段を備えていることを特徴とする画像処理装置。
【請求項１８】
記録液の液滴を吐出する記録ヘッドを搭載して用紙に画像を形成する画像形成装置において、
前記請求項８乃至１４のいずれか一項に記載の画像処理方法を実行する手段を備えていることを特徴とする画像形成装置。
【請求項１９】
請求項１７に記載の画像処理装置と記録液の液滴を吐出する記録ヘッドを搭載して用紙に画像を形成する画像形成装置とで構成されることを特徴とする画像形成システム。
【手続補正２】
【補正対象書類名】明細書
【補正対象項目名】００２１
【補正方法】変更
【補正の内容】
【００２１】
ここで、入力画像が複数のカラープレーンで構成されるカラー画像であるときには、任意のカラープレーンについて、前記ディザマスクを回転、線対称に反転及び平行移動の少なくとも１つ又は２以上の組合せで変換したディザマスクを使用することができる。この場合、入力画像が複数のカラープレーンで構成されるカラー画像であるときには、任意のカラープレーンについて、前記ディザマスクのドット配置順序を出力階調単位で反転したディザマスクを使用することができる。
【手続補正３】
【補正対象書類名】明細書
【補正対象項目名】００２４
【補正方法】変更
【補正の内容】
【００２４】
また、これらの本発明に係る画像処理方法においては、用紙が、支持体と該支持体の少なくとも一方の面に塗工層を有してなり、２３℃５０％ＲＨにて動的走査吸液計で測定した接触時間１００ｍｓにおける前記記録液の前記用紙への転移量が２〜４０ｍｌ／ｍ２であり、かつ接触時間４００ｍｓにおける前記記録液の前記用紙への転移量が３〜５０ｍｌ／ｍ２であることが好ましい。
【手続補正４】
【補正対象書類名】明細書
【補正対象項目名】００２５
【補正方法】変更
【補正の内容】
【００２５】
さらに、ここで、用紙が、少なくとも基材と塗工層から構成されており、該塗工層の固形分付着量が０．５〜２０．０ｇ／ｍ２であることが好ましい。
【手続補正５】
【補正対象書類名】明細書
【補正対象項目名】００２６
【補正方法】削除
【補正の内容】